(57)【要約】【課題】適正露出の基準値を変更可能で、撮影される画像の明るさをユーザが容易に設定可能な電子機器およびその制御方法を提供すること。【解決手段】第１の基準値に基づく適正露出で被写体を撮影した画像の明るさである第１の明るさと、第２の基準値に基づく適正露出で被写体を撮影した画像の明るさである第２の明るさと、現在の露出条件で被写体を撮影した画像の明るさである第３の明るさとを、比較可能に提示するユーザインタフェース５０５、５０７〜５０９を表示する。【選択図】図５
2019129507.tif 000002
【特許請求の範囲】
【請求項１】
第１の基準値に基づく適正露出で被写体を撮影した画像の明るさである第１の明るさと、
第２の基準値に基づく適正露出で前記被写体を撮影した画像の明るさである第２の明るさと、
現在の露出条件で前記被写体を撮影した画像の明るさである第３の明るさとを、
比較可能に提示するユーザインタフェースを表示する制御手段を有することを特徴とする電子機器。
【請求項２】
前記明るさが信号の出力レベルの大きさであることを特徴とする請求項１に記載の電子機器。
【請求項３】
前記ユーザインタフェースには、前記第１の明るさを示す第１の指標と、前記第２の明るさを示す第２の指標と、前記第３の明るさを示す第３の指標とが、明るさに応じた位置に表示されることを特徴とする請求項１または請求項２に記載の電子機器。
【請求項４】
前記第１から第３の指標が、明るさを示す１つの軸上の位置を示すように表示されることを特徴とする請求項３に記載の電子機器。
【請求項５】
前記第１の基準値は屋内撮影用、前記第２の基準値は屋外撮影用として予め定められた基準値であることを特徴とする請求項１から請求項４のいずれか１項に記載の電子機器。
【請求項６】
前記ユーザインタフェースは、前記第１の基準値および前記第２の基準値に対応する画質に関する情報を含むことを特徴とする請求項１から請求項５のいずれか１項に記載の電子機器。
【請求項７】
前記画質に関する情報が、ノイズ量、ダイナミックレンジ、適正露出量から飽和露出量までの段数、のいずれかに関する情報であることを特徴とする請求項６に記載の電子機器。
【請求項８】
前記画質に関する情報が、現在の基準値に対応する情報を基準とした相対値として示されることを特徴とする請求項７に記載の電子機器。
【請求項９】
前記制御手段は、画質への影響に関して予め定められた最大許容量に対応する明るさである第４の明るさを示す第４の指標をさらに含んだユーザインタフェースを表示することを特徴とする請求項１から請求項８のいずれか１項に記載の電子機器。
【請求項１０】
前記制御手段は、明るさを示す指標を選択する操作を検出すると、選択された指標に応じた基準値を、適正露出の基準値として設定することを特徴とする請求項１から請求項９のいずれか１項に記載の電子機器。
【請求項１１】
制御手段が、
第１の基準値に基づく適正露出で被写体を撮影した画像の明るさである第１の明るさと、第２の基準値に基づく適正露出で前記被写体を撮影した画像の明るさである第２の明るさと、現在の露出条件で前記被写体を撮影した画像の明るさである第３の明るさとを、比較可能に提示するユーザインタフェースを表示する表示工程を有することを特徴とする電子機器の制御方法。
【請求項１２】
コンピュータを、請求項１から請求項１０のいずれか１項に記載された電子機器の制御手段として機能させるためのプログラム。
【請求項１３】
コンピュータを、請求項１から請求項１０のいずれか１項に記載された電子機器の制御手段として機能させるためのプログラムを格納したコンピュータが読み取り可能な記録媒体。
【発明の詳細な説明】
【技術分野】
【０００１】
本発明は、電子機器およびその制御方法に関し、特には撮影機能を有する電子機器およびその制御方法に関する。
【背景技術】
【０００２】
従来、撮影機能を有する電子機器には、被写体を適切な明るさで撮影するための露出条件（適正露出条件）を自動で決定する自動露出制御（ＡＥ）機能や、ユーザが手動で露出条件を設定する際に、適正露出の目安を表示する機能を有するものがある。また、手動露出制御を支援するため、現在設定されている露出条件と、自動露出制御で得られた適正露出条件との差を提示する機能も知られている。
【０００３】
一般的な自動露出制御は、反射率１８％の無彩色の被写体が適切な明るさ（出力レベル）となるような露出条件を決定する。このように決定される露出条件は大半の撮影において適切である。しかし、逆光や雪景色など、非常に明るい背景に主被写体が存在するシーンについては、適切な露出条件が決定できないことがある。
【０００４】
このような場合には露出補正が必要となるが、露出補正を設定して撮影したあと、解除を忘れると、露出補正不要なシーンを露出補正した状態で撮影してしまうことがある。また、適切な量の露出補正を行うにはある程度の知識や操作の習熟が必要である。
【０００５】
例えば、特許文献１には、砂浜や雪景色などを想定した撮影モードを設定することで、絞り値、シャッタスピード、測光方法など複数のパラメータを一括変更することで、一般的な自動露出制御に適さないシーンでの撮影を支援する撮像装置が開示されている。
【先行技術文献】
【特許文献】
【０００６】
【特許文献１】特開平５−５６３３０号公報
【発明の概要】
【発明が解決しようとする課題】
【０００７】
しかしながら、撮影モードは特定の被写体やシーンを撮影することを想定しており、複数のパラメータ群が一括して変更されるため、ユーザが意図する露出条件で撮影することが容易でない。また、撮影モードは自動露出制御が苦手な被写体においても自動露出制御で適切な露出条件を決定できるようにすることを１つの目的としている。そのため、被写体の明るさの目標値は通常の自動露出制御と同じであり、被写体の明るさを意図的に変えたい場合には依然として露出補正が必要になる。
【０００８】
例えば、自動露出制御で用いる適正露出の基準値をユーザが容易に変更することができれば、自動露出制御による適正露出で撮影しつつ、露出補正なしに画像の明るさを変更することができるが、そのような仕組みは提供されていなかった。
【０００９】
本発明の目的は、適正露出の基準値を変更可能で、撮影される画像の明るさをユーザが容易に設定可能な電子機器およびその制御方法を提供することにある。
【課題を解決するための手段】
【００１０】
上述の目的は、第１の基準値に基づく適正露出で被写体を撮影した画像の明るさである第１の明るさと、第２の基準値に基づく適正露出で被写体を撮影した画像の明るさである第２の明るさと、現在の露出条件で被写体を撮影した画像の明るさである第３の明るさとを、比較可能に提示するユーザインタフェースを表示する制御手段を有することを特徴とする電子機器によって達成される。
【発明の効果】
【００１１】
本発明によれば、適正露出の基準値を変更可能で、撮影される画像の明るさをユーザが容易に設定可能な電子機器およびその制御方法を提供することができる。
【図面の簡単な説明】
【００１２】
【図１】実施形態に係る撮像装置１００の機能構成例を示すブロック図
【図２】実施形態に係るガンマ曲線の例を示す図
【図３】実施形態における適正露出の基準値設定処理に関するフローチャート
【図４】従来のユーザインタフェースの例を示す模式図
【図５】実施形態に係るユーザインタフェースの例を示す模式図
【図６】実施形態に係る撮像装置の動作に関するフローチャート
【図７】実施形態に係るユーザインタフェースの例を示す模式図
【図８】実施形態に係る撮像装置の動作に関するフローチャート
【発明を実施するための形態】
【００１３】
以下、図面を参照して本発明の例示的な実施形態について詳細に説明する。なお、以下では、撮像素子を用いた撮像装置（デジタルカメラ、デジタルビデオカメラなど）に本発明を適用した実施形態について説明するが、本発明は、撮像機能を有する任意の電子機器に適用可能である。なお、このような電子機器には撮像装置以外にスマートフォン、パーソナルコンピュータ、タブレット端末、ゲーム機などが含まれるが、これらに限定されない。
【００１４】
また、図において機能ブロックとして記載されている構成は、それぞれが独立したハードウェア（ＡＳＩＣ、ＡＳＳＰ、ディスクリート回路など）で構成されてもよいし、複数の機能ブロックが１つのハードウェアで構成されてもよい。また、プログラマブルプロセッサがプログラムを実行することによって機能ブロックで示される構成を実現してもよい。
【００１５】
●＜第１実施形態＞
図１は、本発明の第１実施形態に係る撮像装置１００の機能構成例を模式的に示すブロック図である。
撮像レンズ１０３は複数のレンズから構成される結像光学系であり、被写体の光学像を撮像面に形成する。撮像レンズ１０３は可動レンズとその駆動メカニズムを有する。可動レンズには例えば変倍レンズ、フォーカスレンズ、シフトレンズなどが含まれる。撮像レンズ１０３の前面には可動式のバリア１０２が設けられている。バリア１０２は撮像装置１００の電源オフ時やスリープ時などに撮像レンズ１０３の前面を覆い、撮影スタンバイ状態や撮影中などには撮像レンズ１０３の前面を露出させる。
【００１６】
絞り１０１はメカニカルシャッタを兼ねてもよい。ＮＤフィルタ１０４は光路への挿入／非挿入が可能であり、光路に挿入されると光量を減少させる。
【００１７】
撮像部２２は撮像素子と、撮像素子の駆動に関する周辺回路を有する。撮像素子は複数の光電変換部が２次元配列されたＣＣＤ／ＣＭＯＳイメージセンサであってよい。周辺回路は水平走査回路、垂直走査回路などを含む。後述するシステム制御部は５０、周辺回路を通じて、撮像素子の電荷蓄積期間（電子シャッタスピード）や、光電変換部からの信号読み出し方法（例えば加算や間引きを伴う／伴わない読み出し）、信号ゲインなどを制御することができる。画素もしくは光電変換領域単位で読み出され、入射光量（被写体輝度）に応じた値を有するアナログ画像信号が撮像部２２から出力される。
【００１８】
Ａ／Ｄ変換器２３は、撮像部２２から出力されるアナログ画像信号をデジタル画像信号（画像データ）に変換する。Ａ／Ｄ変換器２３は、デジタル画像信号を画像処理部２４またはメモリ制御部１５に出力する。
【００１９】
画像処理部２４は、Ａ／Ｄ変換器２３またはメモリ制御部１５から供給される画像データ（入力データ）に対して様々な画像処理を適用する。画像処理部２４は、画像処理結果を、適用した処理に応じてメモリ制御部１５またはシステム制御部５０に出力する。画像処理部２４が適用する画像処理には例えば、画素補間（デモザイク）処理、リサイズ処理、色変換処理、ガンマ補正処理、ホワイトバランス調整処理、デジタルゲインの付加処理などがある。また、画像処理部２４は、自動露出制御（ＡＥ）や自動焦点検出（ＡＦ）に用いる評価値や像信号を生成したり、動きベクトルを検出したり、特定の特徴を有する領域（例えば顔領域）を検出したりすることもできる。例えば画像処理部２４は、１フレームの撮像画像の輝度情報として、顔領域の平均輝度や、１フレーム全体の平均輝度などを算出することができる。画像処理部２４さらに、静止画または動画データを記録のために符号化したり、符号化された静止画または動画データを例えば表示のために復号したりする。
【００２０】
システム制御部５０は撮像装置１００各部の動作を制御することにより、撮像装置１００の機能を実現する。システム制御部５０は例えば１つ以上のプログラマブルプロセッサ（ＣＰＵ、ＭＰＵなど）であってよい。この場合、システム制御部５０は例えば不揮発性メモリ５６に記憶されたプログラムをシステムメモリ５２に読み込んで実行することにより、撮像装置１００各部の動作を制御する。
【００２１】
不揮発性メモリ５６は、少なくとも一部が書き換え可能である。不揮発性メモリ５６は、システム制御部５０が実行可能なプログラム、設定値などの定数、メニュー画面などのＧＵＩを表示するためのデータ、撮像装置１００の固有情報などを記憶する。
【００２２】
システムメモリ５２は、システム制御部５０が用いるメモリであり、プログラム、変数および定数、プログラムの実行に必要な情報などを一時的に保存するために用いられる。
【００２３】
システム制御部５０はまた、表示部２８における表示に関しても制御する。さらに、システム制御部５０は、画像処理部２４が算出した撮像画像の輝度情報や各種の評価値などを用いて撮像レンズ１０３、絞り１０１、ＮＤフィルタ１０４、撮像部２２などを制御し、ＡＥやＡＦを実行する。
【００２４】
例えばジャイロセンサである加速度センサ４０は、撮像装置１００の動きや姿勢の変化を表す信号をシステム制御部５０に出力する。システム制御部５０は、加速度センサ４０からの信号に応じて、例えば撮像レンズ１０３のシフトレンズの位置や、撮像部２２の撮像素子から信号を読み出す範囲を変更することにより、像振れ補正を行うことができる。
【００２５】
メモリ３２には、メモリ制御部１５やシステム制御部５０を通じて画像データや音声データが一時的に記憶される。メモリ３２は例えば連写時のバッファとして用いられる、撮像部２２によって撮像されＡ／Ｄ変換器２３によりデジタルデータに変換された画像データや、表示部２８に表示するための画像データを格納する。メモリ３２は、所定時間の動画像および音声を格納するのに十分な記憶容量を備えている。
【００２６】
また、メモリ３２の一部は画像表示用のメモリ（ビデオメモリ）としても用いられる。Ｄ／Ａ変換器１３は、メモリ３２に記憶されている表示用の画像データをアナログ信号に変換してＬＣＤなどの表示部２８に供給する。これにより、表示部２８に撮像画像やＧＵＩ、撮像装置の情報などが表示される。表示部２８はまた、電子ビューファインダとして用いられる。この場合システム制御部５０は、撮像部２２により動画を撮影する動作、撮影された動画から表示用の画像データを生成してメモリ３２に書き込む動作、メモリ３２から表示用の画像データを読み出し、Ｄ／Ａ変換して表示部２８に供給する動作とを制御する。
【００２７】
システムタイマー５３は内蔵時計や内蔵クロックに基づいて各種のタイミングを制御するための信号を生成し、システム制御部５０に供給する。モード切替スイッチ６０、録画スイッチ６１、および操作部７０は、ユーザが撮像装置１００に指示を入力するための入力デバイス群である。また、表示部２８がタッチディスプレイの場合、表示部２８もユーザが撮像装置１００に指示を入力するための入力デバイスとして機能する。これら入力デバイスの操作はシステム制御部５０が検出する。システム制御部５０は検出した操作に応じた動作を行うために各部を制御する。
【００２８】
撮像装置１００は例えば動画記録モード、静止画記録モード、再生モードを含む複数の動作モードのいずれかで動作し、動作モードはモード切替スイッチ６０で選択する（切り替える）ことができる。なお、動画記録モードや静止画記録モードはさらに、オート撮影モード、オートシーン判定モード、マニュアルモード、各種シーンモード、プログラムＡＥモード、カスタムモード等のサブモードに細分化されてもよい。シーンモードは代表的な撮影シーンの種類から１つを指定することで、撮影に適した設定が行われるモードである。モード切替スイッチ６０の操作により全てのモードを直接選択できるように構成してもよい。あるいは、動画記録モード、静止画記録モード、再生モードの選択はモード切替スイッチ６０で、サブモードの選択は別の操作部材で行うように構成してもよい。
【００２９】
システム制御部５０は、録画スイッチ６１が動画記録モードにおいて操作されるごとに撮影スタンバイ状態と撮影（記録）状態とを切り替える。なお、静止画記録モードや再生モードにおいて録画スイッチ６１の操作を検出した場合、システム制御部５０は動作モードを動画記録モードに切り替えて動画記録を開始させてもよい。なお、静止画の撮影（記録）は、操作部７０に含まれるレリーズボタンの操作が検出された際に実行される。動画および静止画の撮影、記録に関する動作は公知の方法で行うことができるためその詳細については説明を省略する。動画記録中にレリーズボタンの操作が検出された場合、システム制御部５０は静止画記録動作を実行してもよい。システム制御部５０は、撮影によって得られた静止画や動画をデータファイルに格納して記録媒体２００に記録する。
【００３０】
操作部７０にはレリーズボタン以外に、メニューボタン、電源スイッチ、方向を指定する操作部材（例えば上下左右キーやジョイスティック）、決定(SET)ボタンなどが含まれてよい。また、表示部２８に表示されるＧＵＩパーツと、関連づけられた操作部材（タッチパネルやボタンなど）との組み合わせも、操作部７０を構成する入力デバイスとして機能する。
【００３１】
電源制御部８０は、電源部３０の状態、ＤＣ−ＤＣコンバータ、通電するブロックを切り替えるスイッチ回路等により構成される。電源制御部８０は、電源部３０の状態として、例えば外部から電源が供給されているか否か、電池が装着されているか否か、電池の種類、電池残量などを検出する。また、電源制御部８０は、これらの検出結果及びシステム制御部５０の指示に基づいてＤＣ−ＤＣコンバータを制御することにより、記録媒体２００を含む各部へ供給する電圧を制御する。電源部３０は、着脱可能な一次電池や二次電池、ＡＣアダプター等からなる。
【００３２】
記録媒体Ｉ／Ｆ１８は、記録媒体２００とのインターフェースである。記録媒体２００はメモリカードやハードディスクドライブなどであってよい。記録媒体２００は撮像装置１００に内蔵されていても着脱可能であってもよい。また、記録媒体２００は複数であってもよい。
【００３３】
（適正露出の決定方法）
次に、撮像装置１００におけるＡＥ処理などで用いる、適正露出の決定方法について説明する。適正露出とは、測光範囲内の画像の輝度評価値が、予め定められた基準値となるような露出量である。したがって、同一撮影シーンに対する適正露出は、測光範囲や輝度評価値の算出方法、基準値に応じて異なり得る。
【００３４】
輝度評価値は撮影して得られた画像のデータ（ガンマ補正処理の適用前とする）から画像処理部２４が生成する。輝度評価値は測光範囲に含まれる画像のデータを用いて算出することができる。一般的な撮像装置では、測光範囲や輝度評価値の算出方法を複数の選択し（測光モード）から選択することができる。例えば画像全体についての代表輝度、１つ以上の部分画像における代表輝度の少なくとも一方を求め、１つ以上の代表輝度に基づいて最終的な輝度評価値を求めることができる。複数の代表輝度を用いる場合、画像の中央部や顔領域の代表輝度の重み付けを大きくしたりすることができる。代表輝度は例えば平均輝度や輝度の積分値であってよい。なお、ここで説明した輝度評価値の算出方法は単なる例示であり、他の方法で算出してもよい。
【００３５】
なお、カラーフィルタを有する撮像素子を用いて得られた画像のデータから輝度評価値を算出する場合、各画素はカラーフィルタの色成分の１つに対応する輝度情報しか有しない。そのため、輝度評価値を特定の色成分に対応する画素の値だけから算出してもよい。
【００３６】
一方、輝度の基準値には反射率１８％の無彩色被写体（標準反射体）の明るさが用いられる。輝度評価値が輝度の基準値よりも低い（暗い）場合には露出量を増やし、輝度評価値が輝度の基準値よりも高い（明るい）場合には露出量を減らすように露出条件を決定する。換言すれば、測光範囲内の画像が反射率１８％の無彩色被写体を撮影した画像と仮定した場合の輝度評価値を基準値として、実際に得られた輝度評価値が基準値より低ければ露出量を増やし、基準値より高ければ露出量を減らす。露出量は絞りを開く（絞り値を小さくする）、撮影感度を上げる、シャッタスピードを遅くする（電荷蓄積期間を延ばす）、ＮＤフィルタの濃度を下げる（または光路から退避させる）等により増やすことができる。露出量を減らす場合にはそれぞれ逆方向に制御すればよい。
【００３７】
このような自動露出制御によって決定される適正露出は、輝度評価値が撮影者が意図した被写体（主被写体）の明るさを適切に表す場合にはうまく機能する。一方、輝度評価値が主被写体の明るさを適切に表さない場合にはうまく機能しない。例えば、主被写体が画像に占める割合が低く、かつ背景の明るさが主被写体の明るさと大きく異なるシーンでは、自動露出制御で得られる適正露出では主被写体が暗すぎたり明るすぎたりする。このようなシーンには例えば逆光シーンや、雪景色や夜空を背景にしたシーンなどがある。また、主被写体が人物の場合、服装の色が明るい場合には露出不足気味に、暗い場合には露出過多気味になったりする。
【００３８】
この問題は、主被写体を含むシーン全体の反射光に基づいて露出値を決定することに起因している。そのため、撮像装置１００とは別個の入射光式の露出計を用い、主被写体の入射光量に基づいて露出を決定すれば、主被写体の背景や服装の明るさや色に影響を受けずに露出を決定することができる。
【００３９】
被写体を照らしている照明光の照度値、撮像装置１００の絞り値、露光時間、撮影感度をそれぞれＡＰＥＸ(Additive System of Photographic Exposure)単位で表すと、適正露出時には式（１）が成り立つ。
ＡＶ＋ＴＶ＝ＩＶ＋ＳＶ        ・・・（１）
ＡＶは絞り値（Ｆ値）、ＴＶは露光時間（シャッタスピードまたは電荷蓄積期間）、ＩＶは照度値、ＳＶは露光指数（ＩＳＯ感度など）をＡＰＥＸ単位に換算した値である。
適正露出としたい被写体領域と同じ明るさの部分の入射光量（照度値）を計測し、式（１）を満たすようにＡＶ，ＴＶ，ＳＶの組み合わせを決定することで、適正露出となる露出条件を決定することができる。
【００４０】
一方、撮像装置１００のＡＥのように被写体の反射光に基づいて露出値を決定する場合、被写体輝度、撮像装置１００の絞り値、露光時間、撮影感度をそれぞれＡＰＥＸ単位で表すと、適正露出時の各値の関係は以下の式（２）を満たす。
ＡＶ＋ＴＶ＝ＢＶ＋ＳＶ        ・・・（２）
ＢＶは被写体輝度をＡＰＥＸ単位に換算した値である。
上述した輝度評価値をＢＶとして、式（２）を満たすようにＡＶ，ＴＶ，ＳＶの組み合わせを決定することで、適正露出となる露出条件を決定することができる。
【００４１】
（ガンマ補正）
図２は、画像処理部２４において、例えばＡ／Ｄ変換器２３から供給される画像データ（入力データ）に適用されるガンマ補正の特性（ガンマ曲線）の例を示す図である。ここで入力データは被写体輝度に応じた値を有する１０ｂｉｔデータであるものとする。また、０〜１００％の画像信号の出力レベル（明るさ）に変換するガンマ曲線の例を示している。例えば１００％の出力レベルは１００％白の画像信号の輝度レベルに相当する。ガンマ補正は画像データを例えば撮像素子が出力する輝度の特性を例えば人間の視覚特性に合わせた階調特性に変換したり、ポストプロダクションに適した階調特性に変換するために行われる。ガンマ補正は一般的に非線形な変換特性を有し、変換特性を表す曲線をガンマ曲線と呼ぶ。画像処理部２４におけるガンマ補正処理は、ガンマ曲線を用いた階調変換処理ということもできる。
【００４２】
画像処理部２４が画像データから算出する輝度評価値と比較する輝度基準値は、画像処理部２４での処理に適した数値で表現されているため、ユーザが輝度基準値の明るさをイメージすることが難しい。例えば、図２（ａ）に示すように、画像処理部２４が画像データを１０ｂｉｔのデータとして取り扱い、撮像素子からの最大入力値（１０２３）が反射率５７６％に相当する場合、輝度基準値は反射率１８％に相当する入力値３２となる。
【００４３】
したがって、システム制御部５０は輝度評価値が３２であれば現在の露出条件で適正露出が得られると判定し、露出条件を変更する必要はない。一方、輝度評価値が３２と異なる場合、システム制御部５０は適正露出が得られるように露出条件を変更する。なお、輝度基準値の値は、撮像素子の最大出力値に対応する反射率の大きさに応じて変化する。
【００４４】
本実施形態では、反射率１８％の被写体を適正露出で撮影した際の出力レベル（輝度基準値をガンマ曲線で変換して得られる出力レベル）を適正露出の基準値として用いる。例えば、図２（ａ）に示すガンマ曲線を用いる場合、適正露出の基準値は出力レベル４０％に相当する。このように適正露出の基準値として、ガンマ補正後の出力レベルを用いることで、適正露出の基準値を、映像信号を波形モニタで表示した際のレベルと同様に扱うことができるため、基準値の明るさが容易にイメージできるようになる。
【００４５】
ここで、適正露出時よりも被写体が明るく写るようにすることは、例えば図２（ｂ）に示すように、反射率１８％に対応する入力データ値が４０％よりも大きい出力レベルに変換されるようにすることに相当する。これは、適正露出の基準値を大きくすることで実現できる。
【００４６】
図３のフローチャートを用いて、適正露出の基準値の変更動作について説明する。
Ｓ３０１でシステム制御部５０は、適正露出の基準値とする出力レベルの設定を受け付ける。例えばシステム制御部５０は表示部２８に基準値の設定画面を表示し、ユーザによる出力レベルの設定を受け付けることができる。設定画面においてユーザは、基準値とする出力レベルを複数の選択肢から選択するか、数値を直接入力することによって出力レベルを設定することができる。なお、選択肢は数値ではなく、用途（例えば屋内用、屋外用）など、ユーザが設定を行いやすい項目であってもよい。この場合、システム制御部５０は、例えば不揮発性メモリ５６を参照して、選択肢に対応する出力レベルを取得することができる。なお、設定画面を提供する代わりに、操作部７０に含まれる入力デバイスに出力レベルの値を調整する機能を割り当てたり、特定の選択肢を選択する機能を割り当てたりしてもよい。
【００４７】
Ｓ３０１で出力レベルが設定されると、Ｓ３０２でシステム制御部５０は、設定された出力レベルと、ガンマ曲線（変換特性）とに基づいて輝度の基準値を取得する。例えば、図２（ｂ）に示すガンマ曲線を用いている場合、適正露出とする出力レベルが５０％に設定されると、輝度の基準値は６４となる。輝度の基準値は反射率１８％に相当するため、入力データの最大値１０２３が対応する反射率は２８８％（≒１８＊１０２４／６４）になる。
【００４８】
輝度の基準値を３２から６４に変更することは、適正露出を１段分明るくすることに相当し、式（２）において例えば、ＡＶ値もしくはＴＶ値を−１した状態、またはＢＶ値を＋１した状態とも言える。この場合、ＳＶ値を−１することで、式（２）を満たすことができる。Ｓ３０３でシステム制御部５０は、輝度基準値の変化に応じて露光指数（適正露出に相当するＩＳＯ感度）を１／２にすることでＳＶ値を−１する。
【００４９】
なお、この状態では適正露出の基準値を変更する前後で絞り値とシャッタスピードは変えていない。そのため、式（２）が満たされず、変更前の適正露出が得られる露出条件では変更後の適正露出を得ることはできない。ここでは適正露出が以前より明るく変更されているため、変更前の適正露出が得られる露出条件で撮影した場合、変更後の適正露出よりも被写体は暗く写る。そこで、適正露出の基準値が変更された場合には、変更を打ち消すように露出条件を変更してもよい。本実施形態の場合、ＡＶ値もしくはＴＶ値の値を−１することで式（２）を満たすことができる。つまり、絞り１０１のＦ値を１段小さくするか、シャッタスピード（または電荷蓄積期間）を２倍に変更すればよい。これにより、変更後の適正露出が得られる露出条件を設定することができる。
【００５０】
本実施形態は適正露出の基準値をユーザが変更できるようにした。そのため、たとえば屋内用の基準値と屋外用の基準値とを切り替え可能にしておくことで、ユーザは常に内蔵露出計もしくは外部露出計が示す適正露出の指針を基準として露出量を調整することができる。適正露出の基準値が固定である場合に必要となる露出補正量の管理が不要となり、露出補正量の誤りに起因する撮影の失敗を防止することができる。
【００５１】
また、適正露出の基準値をガンマ補正後の出力レベルで設定できるようにしたので、適正露出で撮影した際の被写体の明るさをイメージしやすく、ユーザが意図した被写体の明るさを実現するための適正露出の基準値を容易に設定することができる。
【００５２】
また、適正露出の基準値の変更に伴って露出条件を変更するようにした。そのため、適正露出の基準値の変更後も式（１）および式（２）が成り立つ。これにより、外部露出計を用いて適正露出が得られる露出条件を把握したり、撮像装置１００の表示部２８に表示される適正露出の基準値を参考にした露出条件の設定が容易となる。
【００５３】
例えば、ITU-R勧告 BT.2100で規定されているハイダイナミックレンジ(HDR)に対応した動画を撮影する場合、屋内ではより暗く、屋外ではより明るく被写体を撮像するなど、シーンに応じた明るさでの撮像が好ましい。本実施形態では屋内撮影と屋外撮影とでそれぞれ適正露出の基準値を容易に変更できるようにしたため、自動露出制御を用いつつ、屋外撮影の場合には屋内撮影よりも明るい動画を容易に撮影することができる。
なお、本実施形態で説明に用いたガンマ曲線や入力データ値のビット数などは単なる例示であり、本発明を限定しない。
【００５４】
●＜第２実施形態＞
次に、本発明の第２実施形態について説明する。第１実施形態では、出力レベルを指定することで適正露出の基準値を変更する構成について説明した。本実施形態ではダイナミックレンジを指定することで適正露出の基準値を変更する構成について説明する。撮像装置の構成や、式（１）および式（２）に基づいて適正露出を決定することは第１実施形態と同様である。ここで、ダイナミックレンジとは、適正露出に対応する輝度の基準値に対し、どの程度明るい被写体まで表現可能であるかを表す。具体的には、ダイナミックレンジは、適正露出に対応する輝度の基準値を反射率１８％とした際に、最大入力値（１０ビット入力なら１０２３）に対応する反射率（Ｘ％）として表すことができる。あるいは、ダイナミックレンジは、Ｘ％が１８％に対してＡＰＥＸ単位で何段分に相当するか（＝ｌｏｇ２（Ｘ／１８））によって表すこともできる。
【００５５】
図２（ａ）に示した適正露出の基準値では、ダイナミックレンジ（反射率）は５７６％である。これは、適正露出（反射率１８％）から５段分（＝ｌｏｇ２（５７６／１８））明るい被写体まで表現可能であることを示す。しかし、明るい空や光源を撮影する場合など、ダイナミックレンジをさらに広げたくなる場合がある。
【００５６】
そこで、本実施形態ではダイナミックレンジの大きさで適正露出の基準値をを設定可能にする。例えばシステム制御部５０は表示部２８に基準値の設定画面として、ダイナミックレンジの大きさを設定可能な画面を表示し、ユーザによる設定を受け付けることができる。設定画面においてユーザは、実現したいダイナミックレンジを複数の選択肢から選択するか、数値（例えば反射率や段数）を直接入力することによってダイナミックレンジを設定することができる。なお、選択肢は数値ではなく、用途（例えば屋内用、屋外用）、被写体の種類（例えば青空、雪景色）、標準よりも広くする、狭くするなど、ユーザが設定を行いやすい項目名としてもよい。なお、設定画面を提供する代わりに、操作部７０に含まれる入力デバイスにダイナミックレンジの値を調整する機能を割り当てたり、特定の選択肢を選択する機能を割り当てたりしてもよい。この場合、システム制御部５０は、例えば不揮発性メモリ５６を参照して、選択肢に対応するダイナミックレンジを取得することができる。ダイナミックレンジそのものは適正露出の基準値ではないが、ダイナミックレンジを変更することで適正露出の輝度の基準値が変わるため、ダイナミックレンジの設定は実質的に適正露出の輝度の基準値を設定することに等しい。
【００５７】
図２（ｃ）に示すように、ダイナミックレンジを１段分広げて６段分（最大反射率１１５２％）とすると、適正露出に相当する輝度（反射率１８％）の基準値は、１０２４＊１８／１１５２≒１６になる。このようにして、Ｓ３０２でシステム制御部５０は、Ｓ３０１で設定されたダイナミックレンジに基づいて輝度の基準値を算出する。これにより、輝度の基準値に対応する出力レベルも４０％から３０％へと変化する。
【００５８】
輝度の基準値を３２から１６に変更することは、第１実施形態とは逆に、適正露出量を１段分暗くすること（ＡＶ値またはＴＶ値を＋１すること）に相当する。変更後の適正露出量について式（２）を満たすため、システム制御部５０は、輝度基準値の変化に応じて露光指数（適正露出に対応するＩＳＯ感度）を２倍にしてＳＶ値を＋１する。
【００５９】
本実施形態においても変更後の適正露出量を得るために露出条件を変更することができる。例えば、変更前の適正露出量が得られる露出条件が設定されていた場合、システム制御部５０は、適正露出の基準値の変更を打ち消すようにＡＶ値もしくはＴＶ値の値を＋１する。つまり、絞り１０１をＦ値を１段大きくするか、シャッタスピード（または電荷蓄積期間）を１／２にすることで、変更後の適正露出が得られる露出条件を設定することができる。
【００６０】
本実施形態ではダイナミックレンジを設定することによって適正露出の基準値をユーザが変更できるようにした。そのため、たとえば屋内用のダイナミックレンジと屋外用のダイナミックレンジとを切り替え可能にしておくことで、ユーザは常に内蔵露出計もしくは外部露出計が示す適正露出の指針を基準として露出量を調整することができる。適正露出の基準値が固定である場合に必要となる露出補正量の管理が不要となり、露出補正量の誤りに起因する撮影の失敗を防止することができる。
【００６１】
また、ダイナミックレンジを設定することで適切な適正露出の基準値に変更されるため、ユーザが表現したい被写体最大輝度に応じた適切な適正露出の基準値を容易に設定することができる。
【００６２】
また、適正露出の基準値の変更に伴って露出条件を変更するようにした。そのため、適正露出の基準値の変更後も式（１）および式（２）が成り立つ。これにより、外部露出計を用いて適正露出が得られる露出条件を把握したり、撮像装置１００の表示部２８に表示される適正露出の基準値を参考にした露出条件の設定が容易となる。
なお、本実施形態で説明に用いたガンマ曲線や入力データ値のビット数などは単なる例示であり、本発明を限定しない。
【００６３】
●＜第３実施形態＞
次に、本発明の第３実施形態について説明する。本実施形態は適正露出の基準値を変更可能な撮像装置において有用なユーザインタフェース（ＵＩ）に関する。本実施形態は第１および第２の実施形態と組み合わせて実行することができるため、撮像装置１００の構成を用いて説明する。また、図２（ａ）に示したように、変更前の適正露出の基準値を、出力レベル４０％、入力データ値（輝度）３２とする。
【００６４】
実施形態に係るＵＩの説明を行う前に、適正露出の基準値が変更可能な撮像装置において、従前のＵＩを適用した例に関して図４を用いて説明する。図４においては、露出設定用のＵＩとして、露出インジケータ４００と、適正露出指標４０１と、現在設定されている露出条件による露出量を示す露出指標４０２とが表示されている。露出設定用のＵＩは、例えばライブビュー画像に重畳されて表示部２８に表示される。適正露出指標４０１は自動露出制御機能によって決定される露出条件に対応した露出量を示し、露出インジケータ４００の固定位置（一般には長さ方向の中央）を示す。
【００６５】
自動露出制御が有効な場合、適正露出指標４０１が示す位置に露出指標４０２が表示されるように露出条件が自動で決定される。マニュアル露出設定時、ユーザは適正露出指標４０１が示す位置に露出指標４０２が表示されるように露出条件を設定することで、自動露出制御による適正露出での撮影を行うことができる。また、ユーザは、適正露出指標４０１が示す位置よりも左（右）に露出指標４０２が表示されるように露出条件を設定することで、自動露出制御による適正露出よりも被写体が明るく（暗く）写るように撮影することができる。
【００６６】
例えば、撮影環境が屋内から屋外に変化し、さらに屋内に戻るという撮影を想定する。図４（ａ）は、最初の屋内撮影時におけるＵＩの表示例を示している。ここで、適正露出の基準値として屋内撮影用の基準値が設定されているものとする。したがって、適正露出指標４０１が示す露出量で撮影した場合、屋内撮影用の基準値に応じた明るさ（例えば出力レベル４０％）の画像が得られる。
【００６７】
屋外に移動し、ユーザが操作部７０を通じて基準値の設定画面４０４を表示させ、適正露出の基準値を屋内撮影用から屋外撮影用に変更したとする（図４（ｂ））。この場合、露出指標４０２の表示位置が図４（ａ）と変わらなくても、撮影で得られる画像の明るさは屋外撮影用の基準値に応じた明るさ（例えば出力レベル５０％）となる。
【００６８】
適正露出の基準値が屋外撮影用のまま、屋内に戻って撮影を続ける場合、自動露出制御で決定される適正露出で撮影すると、屋内撮影用の基準値に応じた明るさよりも明るく撮影されてしまう。図４（ｂ）に示したようなメニュー画面を通じて適正露出の基準値を室内撮影用に戻せばよいが、屋外から屋内に移動しながら動画撮影する場合などは、メニュー操作のために撮影を中断できない場合がある。このような場合、屋内撮影用の基準値に応じた明るさで撮影されるようにユーザはマイナス側に露出補正する必要がある。しかし、適切に露出補正するには、図４（ｃ）に矢印４０５で示す露出補正量をユーザが把握している必要がある。
【００６９】
図５は、表示部２８が電子ビューファインダとして機能している状態での情報表示例を模式的に示した図である。システム制御部５０は、表示用動画に各種の情報を表す画像を重畳して表示部２８に表示することにより、図５に示す表示を実現する。
【００７０】
撮影感度５０１、絞り値５０２、シャッタスピード５０３、ＮＤフィルタ濃度５０４は、現在の値をそれぞれ数値で表している。水平方向に延びる棒状の明るさインジケータ５０５は、水平方向の位置で明るさを示し、右端が最も明るく、左端が最も暗いことを示す。なお、明るさインジケータ５０５は例えば出力レベルの大きさによって明るさを表してもよい。明るさインジケータ５０５の内部には、撮像装置１００に現在設定されている露出条件において得られる被写体の明るさを示す露出指標５０７が、明るさに応じた水平位置に表示される。
【００７１】
屋内基準値指標５０８および屋外基準値指標５０９はそれぞれ、明るさインジケータ５０５の水平位置を指すことにより明るさを示す指標である。このように、本実施形態では、設定可能な基準値のそれぞれに従った適正露出で撮影した際に得られる被写体の明るさと、現在の露出条件で撮影した際に得られる被写体の明るさとを、明るさインジケータ５０５という同一軸上で比較可能に提示するＵＩを提供する。屋内基準値指標５０８および屋外基準値指標５０９が示す明るさは、屋内撮影用および屋外撮影用として定められている適正露出の基準値を用いた自動露出制御で決定される露出条件で撮影したときに得られる被写体の明るさである。したがって、屋内基準値指標５０８および屋外基準値指標５０９が示す明るさは、出力レベル４０％と５０％に相当する。
【００７２】
また、現基準値指標５０６は、現在設定されている適正露出の基準値を示している。したがって、図５（ａ）では、屋内撮影用の基準値が設定されていることを示している。また、図５（ａ）では、露出指標５０７の水平位置が屋内基準値指標５０８と一致している。そのため、現在の露出条件は屋内撮影用の基準値を用いた自動露出制御における適正露出に等しいこと、また屋内撮影用の基準値に相当する明るさ（出力レベル４０％）で被写体が撮影されることが分かる。なお、現基準値指標５０６を設ける代わりに、屋内基準値指標５０８および屋外基準値指標５０９のうち、現在設定されている基準値に対応する指標の表示形態（色、明るさ、形状、表示方法など）を、他の指標の表示形態と異ならせてもよい。
【００７３】
自動露出制御に用いる適正露出の基準値は、図４（ｂ）に示したようなメニュー画面を操作部７０を通じて操作することにより、ユーザが設定（変更）することができる。先に説明したように、出力レベルや輝度のダイナミックレンジを数値で直接指定することが可能であってもよい。また、本実施形態では、露出指標５０７、屋内基準値指標５０８、屋外基準値指標５０９のいずれかを選択することで、メニュー操作を行わずに自動露出制御に用いる適正露出の基準値を設定（変更）することができる。
【００７４】
表示部２８がタッチディスプレイであれば、指標をタッチする操作によって指標を選択可能に構成できる。あるいは、指標と操作部７０に含まれる特定の操作部材とを対応付けておき、操作された部材に対応する指標が選択されたものとして取り扱うこともできる。また、現基準値指標５０６の位置をユーザが移動することによって基準値を変更できるようにしてもよい。表示部２８がタッチディスプレイであれば、例えば現基準値指標５０６を水平方向にドラッグしたり、予め定められた複数の位置のいずれかを選択したりする操作によって現基準値指標５０６を移動可能に構成することができる。操作部７０に含まれるいずれかの操作部材に現基準値指標５０６の移動機能を割り当ててもよい。
【００７５】
図６は、本実施形態における指標５０６〜５０９の表示動作に関するフローチャートである。図６に示す動作は、例えば図３を用いて上述した基準値の変更処理の一部として実行することができる。なお、明るさインジケータ５０５および他の情報５０１〜５０４
は、既に表示されているものとする。
【００７６】
Ｓ６０１でシステム制御部５０は、設定可能な複数の基準値のうち１つを用いた自動露出制御で決定される適正露出で撮影した画像における被写体の明るさ（第１の明るさ）を示す第１の指標を、表示部２８に表示する。ここでは、第１の指標を屋内基準値指標５０８とする。ここで、システム制御部５０は、屋内基準値指標５０８を、第１の明るさに対応する、明るさインジケータ５０５の水平位置を示すように表示する。システム制御部５０は、実際の表示座標は、指標の形や大きさ、明るさインジケータ５０５の表示位置や大きさに応じて決定することができる。
【００７７】
Ｓ６０２でシステム制御部５０は、設定可能な複数の基準値のうち別の１つを用いた自動露出制御で決定される適正露出で撮影した画像における被写体の明るさ（第２の明るさ）を示す第２の指標を、表示部２８に表示する。ここでは、第２の指標を屋外基準値指標５０９とする。ここで、システム制御部５０は、屋外基準値指標５０９を、第２の明るさに対応する、明るさインジケータ５０５の水平位置を示すように表示する。
【００７８】
Ｓ６０３でシステム制御部５０は、現在設定されている露出条件で撮影した画像における被写体の明るさ（第３の明るさ）を示す第３の指標（露出指標５０７）を、表示部２８に表示する。ここで、システム制御部５０は、露出指標５０７を、第３の明るさに対応する、明るさインジケータ５０５の水平位置に表示する。
【００７９】
Ｓ６０４でシステム制御部５０は、露出指標５０７、屋内基準値指標５０８、屋外基準値指標５０９のいずれかを選択する操作を検出したか否かを判定する。システム制御部５０は、指標を選択する操作を検出したと判定されれば、選択された指標に応じて処理をＳ６０５〜Ｓ６０７に進め、指標を選択する操作を検出したと判定されなければ、Ｓ６０４を繰り返し実行する。
【００８０】
ここでは、屋内基準値指標５０８を選択する操作を検出したと判定されればＳ６０５に、屋外基準値指標５０９を選択する操作を検出したと判定されればＳ６０６に、露出指標５０７を選択する操作を検出したと判定されればＳ６０７に、処理を進めるものとする。
【００８１】
Ｓ６０５でシステム制御部５０は、適正露出の基準値を、屋内撮影用の基準値に設定（変更）する。Ｓ６０６でシステム制御部５０は、適正露出の基準値を、屋外撮影用の基準値に設定（変更）する。Ｓ６０７でシステム制御部５０は、適正露出の基準値を、現在の基準値に設定する。また、システム制御部５０は、Ｓ６０５〜Ｓ６０７により、適正露出の基準値が変更された場合には、現基準値指標５０６および露出指標５０７の表示を更新する。Ｓ６０５〜Ｓ６０７は、図３のＳ３０１に相当する処理である。なお、Ｓ６０７は必ずしも実行しなくてもよい。
【００８２】
例えば、撮影場所が屋内で、屋内撮影用の基準値が設定されている状態（図５（ａ））から、屋外に移動したとする。そして、ユーザが屋外基準値指標５０９を選択すると、システム制御部５０は適正露出の基準値を屋外撮影用の基準値に変更する。図３で説明したように、適正露出の基準値が変更されると、システム制御部５０は露光指数を変更する。これにより、撮影感度５０１の値が変化する。ここでは、適正露出の基準値が高い値に変更されたため、撮影感度は低下する。適正露出の基準値が屋外撮影用の基準値に変更されたことにより、表示部２８は図５（ｂ）に示す状態になる。ここでは、ユーザがＮＤフィルタの濃度を変更したことにより、屋内と同じ絞り値、シャッタスピードが自動露出制御で決定された状態を示している。なお、露出条件をマニュアル設定する場合、ユーザは現基準値指標５０６が示す基準値指標の指す水平位置に露出指標５０７が表示されるように露出条件を設定すればよい。そのため、図４を用いて説明したような、屋外撮影用の基準値を設定したまま屋内で撮影を行うような場合であっても、適切かつ容易に露出補正を行うことができる。
【００８３】
以上説明したように、本実施形態では、自動露出制御で用いる適正露出の基準値を変更可能な撮像装置において、予め定められた基準値に従った適正露出と、現在の露出条件とで撮影した画像における被写体の明るさとを比較可能に表示するようにした。特に、個々の明るさを同一軸上の位置で示すように表示することで、被写体が所望の明るさで撮影された画像を得るための露出条件や適正露出の基準値を容易に設定することができる。特に、被写体の明るさを出力レベルの大きさを示す軸上で表示することにより、ユーザの意図する基準値または露出条件を直感的に設定することができる。
【００８４】
なお、本実施形態では説明および理解を容易にするため、予め定められた複数の基準値が屋内撮影用と屋外撮影用の基準値の２つである場合を説明した。しかし、撮像装置に設定可能な複数の基準値の数は３以上であってよい。また、設定可能な基準値は撮像装置の撮影モードやシーン検出結果など、屋内・屋外以外の区分に応じたものであってもよい。
【００８５】
●＜第４の実施形態＞
次に、本発明の第４実施形態について説明する。本実施形態は適正露出の基準値を変更する際に有用な情報を提供するユーザインタフェース（ＵＩ）に関する。本実施形態は第１〜第３の実施形態と組み合わせて実行することができるため、撮像装置１００の構成を用いて説明する。
【００８６】
本実施形態で提供する情報は、適正露出の基準値の変更が画質に与える影響に関する情報である。例えば、基準値に応じた、適正露出から飽和露出量までの段数、センサノイズ量、ダイナミックレンジなどに関する情報であってよい。ここでは一例としてセンサノイズ量に関する情報を提供する構成について説明する。
【００８７】
本実施形態では、画質が受ける影響の許容最大量に関する設定がなされているものとする。画質としてノイズ量を考慮する場合、許容最大ノイズ量に対応する撮像素子のゲイン量（許容最大ゲイン量）が予め設定されていればよい。許容最大ゲイン量の設定方法に特に制限はないが、例えばユーザはテスト撮影時に適正露出を維持したまま撮影感度を変化させて撮影を行い、得られた画像に含まれるノイズを目視で確認し、許容最大ゲイン量を決定することができる。ノイズ量は画像を例えば表示部２８に表示させて確認してもよいし、外部装置（パーソナルコンピュータなど）で表示させて確認してもよい。例えば図７（ａ）に示すように、一部を拡大表示させてノイズ量を確認することもできる。なお、許容最大ゲイン量を設定するための撮影モードを用意してもよい。許容最大ゲイン量を設定するための撮影モードでは、システム制御部５０は、例えば図７（ａ）に示すように現在のセンサゲイン量７１０を表示部２８に表示する。他の表示は図５と同様であってよい。
【００８８】
ユーザは、異なる撮影感度の適正露出で撮影された画像からノイズ量が許容できる最大感度（許容最大感度）を決定し、例えばメニュー画面を通じて撮像装置１００に設定する。システム制御部５０は、設定された許容最大感度に対応するゲイン量を、撮影時に用いた適正露出の基準値と対応付けて例えば不揮発性メモリ５６に記憶する。なお、許容最大ゲイン量を撮影感度で設定する代わりに、センサゲイン量を直接設定可能にしてもよい。なお、ユーザは、テスト撮影を行わずに許容最大感度や許容最大ゲイン量を設定してもよい。ここでは例えば室内撮影用の基準値を用いたテスト撮影により、許容最大感度としてＩＳＯ３２００が設定され、対応するセンサゲイン量２４ｄＢが最大許容ゲイン量として設定されたものとする。
【００８９】
撮影スタンバイ状態および動画記録中のＵＩ表示は、図５（ｂ）および（ｃ）に示した第３実施形態と基本的に同様である。ただし、現基準値指標５０６、屋内基準値指標５０８、屋外基準値指標５０９に対応したセンサゲイン量７１０〜７１２が、基準量に対応する画質に関する情報として追加表示される（図７（ｂ））。
【００９０】
図８は、撮影スタンバイ状態および動画記録中の指標操作に対するシステム制御部５０の動作に関するフローチャートである。
Ｓ８０１でシステム制御部５０は、Ｓ６０４と同様に、指標の選択動作を検出したか否かを判定し、検出したと判定されればＳ８０２に処理を進め、検出したと判定されなければＳ８０１を繰り返し実行する。
【００９１】
Ｓ８０２でシステム制御部５０は、選択された指標に対応するセンサゲイン量が、設定されている最大許容ゲイン量以下か否かを判定し、最大許容ゲイン量以下と判定されればＳ８０３に、判定されなければＳ８０４に処理を進める。
【００９２】
Ｓ８０３でシステム制御部５０は、選択された指標に対応する基準値を設定する。これは第３実施形態におけるＳ６０５〜Ｓ６０７の処理に相当する。
一方、Ｓ８０４でシステム制御部５０は、選択された指標に対応する基準値を設定せずに、目標指標を表示部２８に表示させる。図７（ｃ）に目標指標７２１の例を示す。目標指標７２１は、画質への影響が予め設定された最大許容量となる基準値（第４の明るさ）を示す指標である。
【００９３】
例えば撮影環境が屋内から屋外になり、ユーザが適正露出の基準値を屋外撮影用の基準値に変更しようとして屋外基準値指標５０９を選択したとする。屋外撮影用の基準値に対応するセンサゲイン量は２７ｄＢであり、最大許容ゲイン量である２４ｄＢを超える。この場合、システム制御部５０は、適正露出の基準値を変更せずに、目標指標７２１を表示部２８に表示させる。この際、選択した基準値を設定するとノイズ量が許容量を超える旨の警告メッセージなどを合わせて表示部２８に表示させるようにしてもよい。また、図７（ｃ）に示すように、目標指標７２１に関連づけて画質に関する情報（ここではセンサゲイン量）を表示させてもよい。
【００９４】
ユーザは、露出指標５０７が、現在の水平位置から、目標指標７２１が示す水平位置までの間に表示されるように露出条件を変更することで、ノイズ量が最大許容量を超えない範囲で被写体がより明るく写るような露出条件を設定することができる。そして、ユーザは露出指標５０７を選択することで、現在の露出量が適正露出となるように適正露出の基準値を変更することができる。図７（ｄ）は、ノイズ量が最大許容量を超えない範囲で被写体が最も明るく写るような露出条件を設定した状態を示している。システム制御部５０は露出指標５０７の選択操作を検出すると、現在の露出量が適正露出となるように適正露出の基準値を変更し、現基準値指標５０６の表示位置を更新し、目標指標７２１の表示を終了する（図７（ｅ））。
【００９５】
なお、自動露出制御が有効で、ノイズ量が最大許容量を超えない範囲で被写体が最も明るく写るような露出条件を設定する場合、ユーザは目標指標７２１を選択すればよい。システム制御部５０は目標指標７２１の選択操作を検出すると、適正露出の基準値を、目標指標７２１に対応する明るさが適正露出になるように変更する。そして、システム制御部５０は、現基準値指標５０６の表示位置を更新し、目標指標７２１の表示を終了する。自動露出制御により、露出条件が変更され、露出指標５０７の水平位置が現基準値指標５０６の水平位置と等しくなる（図７（ｅ））。
【００９６】
なお、ここでは選択された指標に対応するセンサゲイン量が最大許容ゲイン量以下と判定されない場合（あるいは最大許容ゲイン量以下を超えると判定された場合）に、目標指標７２１を表示する構成について説明した。しかし、設定可能な複数の基準値に対応するセンサゲイン量の１つ以上が、最大許容ゲイン量を超える場合には、目標指標を常に表示するように構成してもよい。画質への影響が予め設定された最大許容量となる基準値を示す指標を、選択可能な複数の基準値の指標の１つとして表示することで、ユーザは画質への影響を優先するか、画像の明るさを優先するかを考慮して指標を選択することができる。
【００９７】
また、ユーザが承認した場合には、許容ゲイン量を超えるセンサゲイン量に対応する基準値の設定を許してもよい。例えば、選択された指標に対応する基準値を設定すると最大許容ゲイン量を超える場合、システム制御部５０は、警告メッセージを表示し、基準値を本当に変更するかユーザに問い合わせることができる。警告メッセージに対してユーザから基準値の変更が指示された場合、システム制御部５０は、許容ゲイン量を超えるセンサゲイン量に対応する基準値を設定する。
【００９８】
本実施形態によれば、適正露出の基準値を変更可能な撮像機能を有する電子機器において、設定可能な基準値に対応づけて、基準値が画質に与える影響に関する情報を表示するようにした。そのため、ユーザは、画質への影響を考慮した上で適正露出の基準値を設定することができる。
【００９９】
また、画質への影響が予め設定された最大許容量となる基準値を示す指標を、選択可能な複数の基準値の指標の１つとして表示するようにした。そのため、ユーザは、画質への影響が最大許容量を超えない範囲で基準値を容易に設定することができる。
【０１００】
なお、本実施形態では適正露出の基準値が画質に与える影響に関する情報として、ノイズ量を左右するセンサーゲイン量を表示する構成について説明した。しかし、適正露出の基準値が画質に与える影響に関する情報は、ダイナミックレンジの大きさや、適正露出量から飽和露出量までの段数といった他の情報であってもよい。また、情報は絶対値で表示する代わりに、現在の基準値に対応する値を基準とした相対値で表示するように構成してもよい。
【０１０１】
以上、本発明をその例示的な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０２】
なお、システム制御部５０が主体として実行するものとして説明した上述の各種制御は１つのハードウェアが行ってもよいし、複数のハードウェア（例えば、複数のプロセッサーや回路）が処理を分担することで、装置全体の制御を行ってもよい。
【０１０３】
また、上述した実施形態においては、本発明をデジタルカメラなどの撮像装置に適用した場合を例にして説明した。しかし、本発明は自動露出制御における適正露出の基準値を変更可能な撮像機能を有する（あるいは搭載可能な）任意の電子機器に適用可能である。例えば本発明は、パーソナルコンピュータ、タブレット端末、携帯電話機、スマートフォン、携帯型のメディアプレーヤ、プリンタ、デジタルフォトフレーム、ゲーム機、電子ブックリーダ、家電製品といった一般的な電子機器に適用可能である。
【０１０４】
＜その他の実施形態＞
本発明は、上述の実施形態の１以上の機能を実現するプログラムを、ネットワーク又は記録媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【符号の説明】
【０１０５】
２８…表示部、３２…メモリ、５０…システム制御部、５２…システムメモリ、５６…不揮発性メモリ、６１…録画スイッチ、７０…操作部、１００…撮像装置、１０１…絞り、１０３…撮像レンズ、２００…記録媒体
【図１】
2019129507.tif 000003
【図２】
2019129507.tif 000004
【図３】
2019129507.tif 000005
【図４】
2019129507.tif 000006
【図５】
2019129507.tif 000007
【図６】
2019129507.tif 000008
【図７】
2019129507.tif 000009
【図８】
2019129507.tif 000010